(57)【要約】      （修正有）【課題】ゴミ箱からの出火を防ぐ消火具を提供する。【解決手段】消火液又は粉末等消火剤を封入した容器１と、その容器１の吊り具２とからなる消火具である。容器１は吊り具２に装填され、容器１は少なくとも表面一部に火熱又は負荷で破裂する破裂部３を有する。破裂部３は低融点部や、針で破裂する薄弱部として形成され、低融点部は素材自体が火熱で溶融する部位であり、薄弱部は負荷によって破裂する部位である。容器１は隙間２１を有する枠体２２に装填されてゴミ箱Ｂ内に吊り下げられて使用される。枠体２２の隙間２１から火熱を受けて、破裂して消火液等を散布し、消火する。【選択図】図１
0003215506.tif 000002
【実用新案登録請求の範囲】
【請求項１】
消火液又は粉末等消火剤を封入した容器と、その容器の吊り具とからなる消火具であって、前記容器は前記吊り具に装填され、前記容器は少なくとも一部に火熱又は負荷で破裂する破裂部を有することを特徴とする消火具。
【請求項２】
前記容器は不水溶性で前記破裂部は、ゴミ箱内の発火による温度上昇で破壊される低融点部で、８０℃以上の火熱で溶融破裂するフィルムで形成したもの、或いは空気を内包して内部の消火液に触れない空気室を低融点部として散在形成したもの、であることを特徴とする請求項１記載の消火具。
【請求項３】
前記容器は不水溶性で前記破裂部は、容器表面の一部に設けられる薄弱部であって、その薄弱部は、形状記憶合金板の復元力で鋭利な針が突出して容器の一部を破裂する構成において針の当接部分を薄弱部にした構成、容器に間欠的に熱収縮樹脂片を設け左右に貼付された熱収縮樹脂片の収縮力で左右から引っ張られて破裂する熱収縮樹脂片の中間を薄弱部とした構成、内面に針を付設した熱収縮チューブを容器に嵌めこみ前記針の当接する個所を破裂する薄弱部とした構成、のいずれかであることを特徴とする請求項１記載の消火具。
【請求項４】
前記破裂部は、容器の一部分として形成するか或いは貼付フィルムによって形成された請求項１、請求項２、請求項３のいずれかに記載の消火具。
【請求項５】
前記吊り具は、隙間を設けた枠体と掛け具を備えており、その枠体に前記容器を装填した請求項１又は請求項２又は請求項３又は請求項４のいずれかに記載の消火具。
【請求項６】
前記吊り具は、不燃性素材で作成された隙間を設けた柔軟な弾性螺旋条コイル枠体を備えており、その螺旋条コイル枠体に前記容器を装填した請求項１又は請求項２又は請求項３又は請求項４又は請求項５のいずれかに記載の消火具。
【考案の詳細な説明】
【技術分野】
【０００１】
本考案は、ゴミ箱に取り付けて使用する消火具である。
消火具は、ゴミ箱の内部発火を即座に自動消火することを目的とする。
【背景技術】
【０００２】
居酒屋などの店舗に設置されたゴミ箱、公園や公共施設に設置されたゴミ箱、家庭内のゴミ箱、などゴミ箱から発火する火災がある。火の不始末や何らかの原因で、ゴミ箱内部で小さな発火が起きる。
【０００３】
屋内外に設置されるゴミ箱の内部から人的不始末や様々な原因で発火した場合、自動的に消火する装置等については、従来種々の提案がなされ、様々な装置が開発されている。
【０００４】
例えば、ゴミ箱の内部発火に対しての消火具等には次のような特許文献１〜特許文献６がある。
【先行技術文献】
【特許文献】
【０００５】
【特許文献１】特開平１１−３４９１０１「ゴミ箱」
【特許文献２】特許第３２６３９２２号「ゴミ箱用消火具」
【特許文献３】実開昭６２−１０７８５１「消火シート」
【特許文献４】特開平０７−１０９００１「消火機構付ゴミ回収箱」
【特許文献５】特許第２７９０４２８号「ゴミ箱用の消火装置」
【特許文献６】実用新案登録第３１３３８７５号「ゴミ箱」
【０００６】
従来の前掲の消火具は、各種ゴミ箱の形態に合わせた構造である。
蓋があるものやないものなど各種特有の形態の箱・容器を前提とするので、どれにでも取り付けられるというものではない。
特許文献１は、蓋体の内側面に、消火用材料を供えるとともに、該消火用材料を、ゴミ収容部内に生じた火による過熱で破られる凸部を有する保持材内に保持した構成である。
特許文献２は、中央に通気孔を設けた蓋の裏面に、袋体の一側が、水を保持するが炎には容易に破壊されるセロファン又はプラスチックフィルムとなっている消火容器からなる構成である。
特許文献３は気泡を内包した独立密封膨出部を多数形成した消火シートである。
特許文献４は、可燃性材料からなる消火剤容器が発火で消火剤を放出するとその重量移動で警告板が起立する構成である。
特許文献５は、火災感知器と消火剤噴出装置を設けたもので、電気回路で動作する構成である。
特許文献６はゴミ箱内を発火時に空気遮断して密閉消火する構成である。
【０００７】
特許文献１、特許文献２は、容器の蓋を利用するものであり、変形蓋や蓋のないゴミ箱には不向きな課題があり、蓋自体に特定の構造を備えることが前提となるものである。
【０００８】
特許文献３は、気泡室を備えた消火シートであるが、破裂する気泡部分は常に上面に位置するために、設置した場所によっては消火液の噴出が発火個所に到達しないおそれが多分にあり、実際上は課題があった。
【０００９】
特許文献４、特許文献５、比較的構造が複雑で消火性能も多機能性もあるが、特定のゴミ箱に装置することになり、汎用性や簡易性、低廉性でもう一歩である。
【００１０】
特許文献６は、ゴミ箱内を空気遮断して消火するもので、蓋付の容器に限定されるとともに、気密に密封する構造は、部品の精度もある程度高度堅牢なものとなる。汎用性や簡易性、低廉性で課題が残る。
【００１１】
本考案は、これらの開示技術を基礎として改良したもので、廉価にでき、構造も単純で、迅速性があり消火能力が高く、かつ各種のゴミ箱に使用できるものを案出した。
【考案の概要】
【考案が解決しようとする課題】
【００１２】
本考案の消火具は、ゴミ箱の内部発火を小さいうちに即座に自動消火することを目的とするもので、後付でもゴミ箱に取り付けて使用できる消火具の開発を課題とする。
【課題を解決するための手段】
【００１３】
本考案は、前記課題を解決するため、吊り具とこれに装填する消火用の容器を備えた消火具を提案する。
吊り具と組み合わせることで、消火用の容器の位置や配置を自在に変化でき、汎用性のある消火具を提供できる。
【００１４】
本考案は、主としてゴミ箱の内部発火を小さなうちに即座に消火する消火具で、消火液又は粉末等消火剤を入れた容器と、その容器の吊り具とからなる消火具であって、前記容器は前記吊り具に装填され、前記容器は少なくとも表面の一部に火熱又は負荷で破裂する破裂部を有することを特徴とする。
【００１５】
破裂部は、ゴミ箱内の発火による温度上昇で破裂する低融点部や、針で破裂する薄弱部として形成され、低融点部は素材自体が火熱で溶融する部位であり、薄弱部は負荷によって破裂する部位である。
薄弱部という表現は、針を刺しで破裂できる肉薄性、左右からの物理的な引っ張りで破れる薄弱性を有するという意味である。周囲より薄弱ということのみを意味しない。
薄弱部は、容器を、壁面に投げつけて強く当てた時にも、破裂する程度の強度が好ましい。
火災の場合は、消火剤の入った容器のみも利用できる。
容器は、吊り具の本体である隙間を有する枠体に装填されてゴミ箱内に吊り下げられて使用される。枠体の隙間から火熱を受けて、破裂して消火液等を散布し、消火する。
容器の破裂部が破裂されることで、容器内部の消火液又は粉末等消火剤を放出する。
【００１６】
消火液は、水、強化液である。
粉末等消火剤は、液剤ではなく、泡、ガス、粉末等である消火剤である。
ゴミ箱の設置場所やゴミの種類、その火災の種類によって、冷却消火（水・強化液）か窒息消火（泡、ガス、粉末）に適する消火液や粉末等消火剤を選択できる。
【００１７】
前記容器は、ゴミ箱内の発火による温度上昇でその低融点部が破裂され或いは薄弱部が破裂され内部の消火液又は粉末等消火剤を放出する。
【００１８】
容器は、耐水性・不水溶性であるが、破裂部として低融点部や薄弱部はその表面一部に設けられる。
低融点部又は薄弱部は、容器の少なくとも一部に、線条や点状に設けられ、火熱又は負荷で破裂する。
破裂により、消火液又は粉末等消火剤を噴出し散布する。
【００１９】
前記破裂部の一態様である低融点部は、ゴミ箱内の発火による温度上昇で破壊される低融点部で、少なくとも一部に８０℃以上の火熱で溶融破裂するフィルムで形成したものや、
空気を内包して内部の消火液に触れない空気室の頂点を低融点部として散在形成したもの、
容器の表面から内部の消火液又は粉末等消火剤から隔絶したひねり突出した空気室を有する低融点部を散在形成したもの、
低融点合金箔を散在させた素材或いは低融点細線条を散在させた素材から形成したもの、などである。
【００２０】
低融点部は、水などの消火液に接触していなければ熱分散せず、溶融破裂しやすいので、突出した空気室の頂点を多数散在形成し、吊り具の枠から垂下させて設けた構成などは、吊り具の構造と相俟って、溶融破裂の確立をあげることができる。
【００２１】
薄弱部は、形状記憶合金板の復元力で鋭利な針が突出して容器の一部を破裂する構成において針の当接部分を薄弱部にした構成や、バイメタル板の先端に針を設けて屈折力で鋭利な針が突出して容器の一部を破裂する構成において針の当接部分を薄弱部にした構成が提案できる。
【００２２】
さらに薄弱部は、容器に間欠的に熱収縮樹脂片を設け左右に貼付された熱収縮樹脂片の収縮力で左右から引っ張られて破裂する構成において熱収縮樹脂片の中間を薄弱部とした構成も提案する。
【００２３】
熱収縮の利用では、内面に針を付設した熱収縮チューブを容器に嵌めこみ、熱収縮によって針の当接する個所を破裂する薄弱部とした構成も簡易である。
薄弱部は、破裂する部位であるので、他の周辺部位より薄弱に形成し、容器の製造時に薄弱部を形成しても、後付フィルム等を貼付して形成しても良い。
【００２４】
形状記憶合金の復元力で鋭利な針が突出して容器を破裂させる構成や、バイメタルの先端に針を設けて屈折力で鋭利な針が突出して容器を破裂させる構成や、熱収縮樹脂の収縮力で鋭利な針が突出して容器を破裂させる構成では、針付の形状記憶合金板やバイメタル板を容器の下方に取り付けたり、吊り具の枠体に取り付けたり、内面に針を付設した熱収縮チューブを容器に囲繞して、収縮力で破裂させる構成を提案する。
【００２５】
前記破裂部は、容器の一部分として形成するか或いは貼付フィルムによって形成される。
【００２６】
容器全体は、液体や粉末剤を封入できる合成樹脂製の薄いフィルムや薄い素材で作成されている。
容器形状は、円筒体、袋体、箱体、扁平体、空気室突出部を角状に多数設けた異形体などである。
【００２７】
容器は、吊り具に装填されて使用するので、吊り具に装填できる細い形体、薄い形体が選ばれる。
容器自体に、吊るためのリングを、容器の左右端部などに設けても良い。
消火液等を封入した容器は、吊り具に装填されて、消火具として、ゴミ箱の内部に掛け具で吊るされて、消火に備える。
【００２８】
吊り具は、ゴミ箱への掛け具と隙間を設けた枠体を備えており、その枠体に前記消火液等を封入した容器を装填する。
枠体（容器の装填空間を備えた枠用具）は、格子状針金枠体や、網状の枠体や、コイル枠体で、形状は細く、薄い形である。
【００２９】
不燃性素材で作成された隙間を設けた柔軟な弾性螺旋条コイル枠体は、伸縮自在で、ゴミ箱に合わせて変形させることもでき、比較的細く形成もできるのでコイル状の枠体は好ましい形態である。
コイル枠体は、伸縮自在、屈折自在で、ゴミ箱の大きさに容易に合わせて掛け具で吊るして使用できる。
さらには、弾性螺旋条コイル枠体には、熱によって、針が立ち上がる形状記憶合金板を配して、物理的に容器を破裂させる構成にすることもできる。
【考案の効果】
【００３０】
本考案は前記の構成であり、次の技術的効果がある。
（１）本考案の消火具は、吊り具と消火液又は粉末等消火剤を封入した容器からなり、ゴミ箱に、吊り具で消火用の容器を吊るすだけであるので、取り付けが簡易である。
（２）本考案の消火具は、消火液又は粉末等消火剤を封入した容器を、針金などで作った吊り具で、ゴミ箱内の所定高さにセットできる。
消火用の容器は、そのゴミ箱の使用状態に合わせて、内部の任意の高さに、位置の調整をして配置ができることで、発火に対して適切な消火が期待できる。
【００３１】
（３）消火具において、消火液又は粉末等消火剤を封入した容器は、吊るす数個を適宜増減できるので、消火能力の調整も可能である。
【００３２】
（４）吊り具で消火用の容器を吊るすだけの構造であるので、屋内外のどのような形態のゴミ箱にも配置でき、ゴミ箱の形状や蓋の有無に関係なく配置できる。
（５）本考案の消火具は、部品点数が少なく、構造も簡易で、低廉な製造費が可能で、コストパフォーマンスが高い。  
【図面の簡単な説明】
【００３３】
【図１】図１は本考案に係る消火具の実施例１であって、ゴミ箱に吊り具を掛け、吊り具の枠体に消火液又は粉末等消火剤の入った容器をセットする説明図である。
【図２】図２は実施例１に示す消火具の、消火液又は粉末等消火剤を入れた容器の正面図と、その中央断面を示す説明図である。
【図３】図３は、消火液又は粉末等消火剤を入れた容器に形成する異なる破裂部の実施例２を示すもので、拡大断面の一例を示すとともに、枠体に取り付けた形状記憶合金の先端に針を設けて破裂部に当てて破裂する一例の説明図である。
【図４】図４は、破裂部である低融点部の異なる実施例３を示すもので、低融点部は、容器の表面から内部の消火液又は粉末等消火剤から隔絶した空気室を有する構成である。容器の斜視図と、容器のＡ−Ａ線の横断面図で示す説明図である。
【００３４】
【図５】図５は、本考案に係る消火具の容器低融点部の異なる実施例４を示すものであって、低融点部は容器の表面から垂れた捻り部の先端に空気室を設けたものである。掛け具と弾性螺旋条コイル枠体からなる吊り具と組み合って使用されることの説明図である。
【図６】図６は、本考案に係る消火具であって、掛け具と弾性螺旋条コイル枠体からなる吊り具と、蛇腹状の容器で低融点部が蛇腹突起部の頂点にある異なる実施例５を示す説明図である。容器の蛇腹突起部にある低融点部を形成する空気室の下方が、夫々弾性螺旋条コイル枠に挟まれて、空気室と消火液を分離した状態を多数個所で維持して、ゴミ箱内の火熱を受けて低融点部は容易に破裂する構成である。
【００３５】
【図７】図７は同じく空気室を備えた突起部を上下左右に列設した変形例の容器を示すもので、両端にリングを設けて、掛け具で吊るして使用されるものの側面図である。
【図８】図８は、実施例６で熱収縮樹脂片を容器表面に間欠的に配置して中間にある薄弱部を左右の熱収縮樹脂片の収縮力で破裂させる構成とした側面図である。
【図９】図９は、内面に針を付設した高収縮チューブ（熱収縮チューブ）を容器に嵌めて囲繞して、チューブの収縮力で破裂させる構成の説明図である。
【考案を実施するための形態】
【００３６】
本考案に係る消火具の実施例を説明する。
【実施例１】
【００３７】
図１乃至図２は本考案に係る消火具の実施例１を示す説明図である。
実施例１は、消火液Ｓ又は粉末等消火剤Ｓを入れた容器１と吊り具２とからなる消火具であって、前記容器１は前記吊り具２に装填され、前記容器１は少なくとも一部に火熱で溶融破裂する破裂部３である低融点部３を設けた消火具である。
ゴミ箱Ｂに掛ける吊り具２とこれに装填する消火用の容器１を備えた消火具で、吊り具２と容器１の両者を組み合わせることで、消火用の容器１の位置や配置を自在に変化でき、汎用性のある消火具を提供できる。
容器１は、耐水性・不水溶性で、破裂部３はその表面に設けられる。
【００３８】
前記容器１の破裂部３は、低融点部３としている。
低融点部３は、ゴミ箱Ｂ内の発火による温度上昇でその低融点部３が破壊され内部の消火液Ｓ又は粉末等消火剤Ｓを放出するもので、容器１全体は不水溶性で、少なくとも一部に８０℃以上の火熱で溶融破裂する低融点部３を有するものとしている。
低融点部３は、熱を感知して破裂する薄弱性があるもので、水分で溶融はしないが例えば７０〜８０℃以上熱で溶ける可食機能フィルム（商標「レンジム」  ツキオカフィルム製薬株式会社）を、容器１に予め一列の点状の孔１０を穿った個所に閉塞貼付するなどの構成で実施される。
【実施例２】
【００３９】
図３に示す実施例２の低融点部３は、溶融破裂するフィルム３０を断熱部３３を介して容器１本体の底面や側面に線状に設けたものである。
フィルム３０は、断熱部３３によって容器1内の温度に影響されにくくゴミ箱Ｂの内部温度をそのまま感知して反応し溶融し断熱部３３と共に表面を溶かし破裂へと至る。
容器１に穿った孔１０があると実施例1と同様にフィルム３０の破裂で孔１０も破裂して広がり、消火液Ｓ又は粉末等消火剤Ｓが噴出する。
溶融破裂するフィルム３０は、前記可食機能フィルムほか、極薄の合成樹脂フィルム、例えば、ポリエチレンフィルムやポリエステルフィルムが選択できる。
フィルム３０は、後付で貼付して形成する。
【００４０】
実施例１、実施例２を構成する要素の吊り具２は、金属針金など不燃性素材で作成された隙間２１を設けた枠体２２である。
吊り具２とこれに装填する消火用の容器１を組み合わせることで、消火用の容器１の位置や配置を自在に変化でき、汎用性のある消火具を提供できる。
吊り具２は、ゴミ箱Ｂへの掛け具２３と隙間２１を設けた枠体２２を備えており、その枠体２２に前記容器を装填する。
【００４１】
枠体２２（容器１の取り付け空間部を備えた用具）は、格子状針金枠体や、網状の枠体で、形状は細長く、薄い角筒体や円筒体である。
図１実施例１のように不燃性素材で作成された隙間２１を設けた柔軟な弾性螺旋条コイル枠体２２に形成すると、伸縮自在で、ゴミ箱Ｂに合わせて変形させることもでき、比較的細く形成もできるのでコイル状の枠体２２は好ましい形態である。
コイル枠体２２は、伸縮自在で、ゴミ箱Ｂの大きさに容易に合わせて掛け具２３で吊るして使用できる。
長短の長さの設計も簡単である。
【００４２】
図３の実施例２は、弾性螺旋条コイル枠体２２の内側に、火熱によって、屈折する形状記憶合金７を付設してあり、その先端には針６が付設され、針６が押し進む構造も示している。
火熱のエネルギーを物理的に移動のエネルギー変えて容器を破裂させる構成である。
形状記憶合金板７の復元力で鋭利な針６が突き出して容器１の一部破裂部３を破裂させる。
【００４３】
形状記憶合金板７は、バイメタル板７に代えてもよく、バイメタル板７の先端に針６を設けて屈折力で容器１の一部破裂部３を破裂させることもできる。
破裂する部位である破裂部３＝薄弱部３は、針６の負荷で破裂する肉薄で他の周辺部位より薄弱に形成すればよく、容器１の製造時に薄弱部３を形成しても、後付フィルム３０を貼付して形成しても良い。
針６付の形状記憶合金板７やバイメタル板７は、容器の下方に取り付けたり、
吊り具２の枠体２２に設けても良い。
【実施例３】
【００４４】
図４に示す実施例３は、異なる構成の破裂部３を有する消火液Ｓ又は粉末等消火剤Ｓを入れた容器１である。
破裂部３＝低融点部３の異なる構成で、低融点部３は、容器の表面から内部の消火液又は粉末等消火剤から隔絶した空気室３２を有する断面で凸条３１とした構成である。
低融点部３である凸条３１は、消火液Ｓや粉末等消火剤Ｓとは分離しているため、ゴミ箱Ｂ内で発火が起きたときは、火熱は直接に凸条３１に移り溶融し根元の容器表面に破裂をおこして、消火液Ｓや粉末等消火剤Ｓを放出する。
【実施例４】
【００４５】
図５に示す実施例４は、破裂部３＝低融点部３の異なる構成で、容器の表面から内部の消火液又は粉末等消火剤から隔絶した捻じり部３４を垂下させて空気室３２を設けた構成である。
ゴミ箱Ｂ内で発火が起きたときは、火熱は空気室３２のある先端部を溶融し、捻じれ部３４が溶融し、根元の容器表面に破裂をおこして、消火液Ｓや粉末等消火剤Ｓを放出する。
捻じり部３４を垂下させて空気室３２を設けた破裂部３＝低融点部３は、多数散在させて設ける。
【実施例５】
【００４６】
図６は、掛け具２３と弾性螺旋条コイル枠体２２からなる吊り具２と蛇腹状の容器１で破裂部３＝低融点部３が蛇腹突起部の頂点にある異なる実施例５を示している。
容器１の蛇腹突起部にある低融点部３を形成する空気室３２の下方が、夫々弾性螺旋条コイル枠体２２に挟まれて、空気室３２と消火液を分離した状態を多数個所で維持して、ゴミ箱Ｂ内の火熱を受けて低融点部３が容易に破裂する構成である。
【実施例６】
【００４７】
図７の実施例６は、容器１の表面に先端に空気室３２のあるツノ状の突起部として多数の破裂部３＝低融点部３を設けた構成である。
前記蛇腹状の容器１の変形例で、空気室３２を備えたツノ状の突起部を上下左右に列設している。
この先端突起部が破裂部３＝低融点部３として、ゴミ箱Ｂ内の火熱を受けて容易に破裂する構成である。
容器1の両端には、リング１２（容器に付設したリング）を設けてある。
比較的形体の維持性のある素材で作成した容器１であって、リング１２があれば枠体２２に装填しなくても掛け具２３で吊るして使用できる。
【実施例７】
【００４８】
図８は、破裂部３を薄弱部３とした容器１の実施例７である。
薄弱部３は熱収縮樹脂片４（例：架橋軟質難燃性ポリオレフィン樹脂）を容器表面に間欠的に配置して中間にある破裂部３＝薄弱部３を左右の熱収縮樹脂片４の収縮力で破裂させる構成としたものである。
間隔を持って感熱収縮樹脂片４を設け、発火によって左右の感熱収縮樹脂片４の夫々の収縮力で薄弱部が左右に引っ張られ破裂する構成である。
【実施例８】
【００４９】
図９は、内面に針６を付設した高収縮チューブ（熱収縮チューブ）５を、容器１の円筒形の胴部に、或いは容器１の下部に突出形成した細い円筒形の突起部３＝薄弱部３に、嵌めて囲繞して、チューブ５の収縮力で針を突き刺し破裂させる構成の消火具である。
内面に針６を付設した高収縮チューブ５は、収縮力で針６が容器１を破裂させて消火液Sや粉末等消火剤Sをゴミ箱内に噴出させる。
容器１は、吊り具２の枠体２２に挿入装填されて、掛け具２３でゴミ箱Ｂの口縁に掛けられて、適宜位置に吊り下げられる。
【００５０】
以上の実施例は、ゴミ箱Ｂの内部に火災が発生したときに、予め設置してある消火液又は粉末等消火剤を封入してある容器１に、その発生火熱に反応する破裂部３を設けたものであるが、破裂部３は、上記の実施例のほか、フィルム３０に低融点合金箔を散在させた素材或いは低融点細線条を散在させた素材から形成したものなどでも破裂部を形成することができる。
【００５１】
更に、前記実施例１〜８は、ひとつの吊り具に一つの消火剤入りの容器をセット装填する例を説明したが、長いコイル状枠体に数本の消火剤入りの容器を装填する形態や、各実施例に示す消火具を、数体並べて吊るす形態などが想定できる。ゴミ箱の口縁に合わせて、数本吊るすこともできる。
吊り具で吊って備えるので、ゴミ箱の内部にセットするのが好ましいが、ゴミ箱の上方の窓枠等に吊って備える形態などで使用することも差し支えない。
【００５２】
その他、消火能力ほか行動力が弱い老人ホームやグループホームなどの多数の人が生活する屋内外の適宜個所に吊り下げておく形態や、一般家庭の台所加熱器周辺に粉末消火剤を封入した消火具を吊っておく形態や、蝋燭が点火される仏壇の上方にセットしておく形態などの使用例が想定できる。
本考案の消火具は、構成部品が少なくセットも簡易なので、前記使用例形態のように広い汎用性がある。
【００５３】
本考案は、上述した実施例や実施形態に何ら制限されるものではなく、趣旨を逸脱しない範囲で種々変形可能である。
【産業上の利用可能性】
【００５４】
本考案は、家庭用のゴミ箱の消火具であるが、携帯性があり、簡単に吊るして設置できるので、屋内の火の気のある場所、例えば仏壇や台所の加熱器具の周囲にも設置できる。
屋外のゴミ箱や、屋外施設の火気のある周囲に置いて利用もできる消火具である。
【符号の説明】
【００５５】
（Ｂ）      ゴミ箱
（１）      容器
（Ｓ）      消火液又は粉末等消火剤
（１０）    孔
（１１）    蓋
（１２）    リング（容器に付設したリング）
（２）      吊り具
（２１）    隙間
（２２）    枠体
（２３）    掛け具
（３）      破裂部（低融点部又は薄弱部）
（３０）    破裂部形成用のフィルム
（３１）    凸条
（３２）    空気室
（３３）    断熱部
（３４）    捻じれ部
（４）      熱収縮樹脂片
（５）      熱収縮樹脂リング
（６）      針
（７）      形状記憶合金板又はバイメタル板
【図１】
0003215506.tif 000003
【図２】
0003215506.tif 000004
【図３】
0003215506.tif 000005
【図４】
0003215506.tif 000006
【図５】
0003215506.tif 000007
【図６】
0003215506.tif 000008
【図７】
0003215506.tif 000009
【図８】
0003215506.tif 000010
【図９】
0003215506.tif 000011